(57)【要約】【課題】複数のページにわたって著作物が記録された原記録媒体の各ページの著作物を複写する際における、課金の利便性を向上させる。【解決手段】コピー機２１０の制御部２１７は、書籍の非接触式ＩＣタグから書籍情報およびページコードの印刷位置を表わす情報を取得する。また、コピー機２１０の制御部２１７は、ページコードの印刷位置の情報に基づいてページコードが表すページ情報を取得する。課金サーバ１００の制御部１０４は、書籍情報とページ情報とに基づいて、記憶部１０６内の課金データベースＤＢｃを参照しつつ、ユーザが行おうとしている複写に対して請求すべき複写料金を計算する。【選択図】図１
2010028616.tif 000002
【特許請求の範囲】
【請求項１】
複数のページにわたって著作物が記録された原記録媒体であって、前記複数のページ中のどのページの著作物が読み出し状態にあるかを識別可能とするページ情報が記録されているページ情報記録部と前記原記録媒体を特定可能な記録媒体特定情報が記録されている特定情報記録部とが付されている原記録媒体から、前記著作物を読み取って複製する際の複製料金を管理する複製料金管理システムにおいて、
前記原記録媒体の複製料金に関する課金情報を、前記ページ情報および前記記録媒体特定情報に関連づけて記憶している課金記憶部と、
前記著作物を複製する複製部と、
前記記録媒体特定情報を取得する記録媒体特定情報取得部と、
前記ページ情報を取得するページ情報取得部と、
前記記録媒体特定情報および前記ページ情報に関連づけられた前記課金情報に基づいて前記複製料金を決定する課金決定部と
を備える複製料金管理システム。
【請求項２】
前記課金記憶部は、さらに、複数組の前記ページ情報と関連づけられた付加料金を表す組課金情報を記憶しており、
前記課金決定部は、前記複数組の前記ページ情報に対応する全複写物が、所定期間内に複製された場合には、前記課金情報および前記付加料金に基づいて前記複製料金を決定する請求項１記載の複製料金管理システム。
【請求項３】
前記複製部は複数備えられている請求項１または請求項２記載の複製料金管理システム。
【発明の詳細な説明】
【技術分野】
【０００１】
この発明は、それぞれ内容情報を光学的に読み取ることができる１以上のページを含む書籍等の記録媒体から内容情報を複製する際における課金の管理を行う技術に関する。
【背景技術】
【０００２】
従来、書籍等に印刷されている文章や写真等の著作物を複写機により複写するに際して、バーコードリーダにより原記録媒体を特定可能な記録媒体特定情報が含まれるバーコードを読み取るとともにコントロールパネルで設定した複写条件を著作権管理サーバへ送信し、著作権管理サーバにおいて著作権情報の管理、複写に対する料金計算、複写に対する認証情報の発行等を一括して行う技術が存在する（たとえば、特許文献１）。
【０００３】
【特許文献１】特開２００６−２７０２４３号公報
【０００４】
しかしながら、１冊の書籍において、すべてのページで著作物としての価値が同一というわけではなく、各ページで価値は異なる。たとえば、１冊の書籍において、実験結果の掲載されているページの著作物としての価値は相対的に高くなり、その一方で広告の掲載されているページの価値は相対的に低くなる。また、たとえば、本の中のある章全体や、全体で１枚の図を構成する複数ページの部分図すべてを複写した場合には、１ページ分の料金をページ数倍した値に比べて、高い料金を設定したい場合もある。しかし、上記の従来技術においては、そのような要請に応えることはできない。このような問題は、それぞれ内容情報を光学的に読み取ることができる１以上のページを含む記録媒体の各ページにおける著作物の複写を許可する場合に、広く存在する。
【発明の開示】
【発明が解決しようとする課題】
【０００５】
本発明は、上記の課題の少なくとも一部を取り扱うためになされたものであり、複数のページにわたって著作物が記録された原記録媒体の各ページの著作物を複写する際における、課金の利便性を向上させること目的とする。
【課題を解決するための手段】
【０００６】
上記目的を達成するために、本発明は、第１の態様として、複数のページにわたって著作物が記録された原記録媒体であって、前記複数のページ中のどのページの著作物が読み出し状態にあるかを識別可能とするページ情報が記録されているページ情報記録部と前記原記録媒体を特定可能な記録媒体特定情報が記録されている特定情報記録部とが付されている原記録媒体から、前記著作物を読み取って複製する際の複製料金を管理する複製料金管理システムにおいて、前記原記録媒体の複製料金に関する課金情報を、前記ページ情報および前記記録媒体特定情報に関連づけて記憶している課金記憶部と、前記著作物を複製する複製部と、前記記録媒体特定情報を取得する記録媒体特定情報取得部と、前記ページ情報を取得するページ情報取得部と、前記記録媒体特定情報および前記ページ情報に関連づけられた前記課金情報に基づいて前記複製料金を決定する課金決定部とを備える。
【０００７】
すなわち、課金記憶部には原記録媒体のページ情報および記録媒体特定情報と関連づけられている課金情報が記憶されており、課金決定部によって各ページに対応する複製料金が決定される。したがって、ページ単位で課金額を変動させることができるため、きめ細かい課金が可能となる。つまり、著作物の価値に応じた課金が可能となる。その結果、原記録媒体の各ページの著作物を複製する際における課金の利便性を向上させることができる。
【０００８】
第２の態様として、第１の態様において、前記課金記憶部は、さらに、複数組の前記ページ情報と関連づけられた付加料金を表す組課金情報を記憶しており、前記課金決定部は、前記複数組の前記ページ情報に対応する全複写物が、所定期間内に複製された場合には、前記課金情報および前記付加料金に基づいて前記複製料金を決定する。
このような態様とすれば、たとえば複数ページまとまって複製されたときに著作物の価値が向上するような複数ページの著作物の複製について、その価値に応じた課金を行うことができる。なお、複数組のページ情報は、同一の原記録媒体に含まれるページに関するものであってもよく、異なる書籍のページに関するものであってもよい。
【０００９】
第３の態様として、第１の態様または第２の態様において、前記複製部は複数備えられている。
このような態様とすれば、たとえば複数ページまとまって複製されたときに著作物の価値が向上するような複数ページの著作物の複製を、複数の複製部を使用して行った場合についても、その複製された著作物の価値に応じた課金を行うことができる。
【００１０】
また、第１〜第３の態様のうちいずれか１つの態様において、前記複製部は、著作物の複製を行うユーザを特定することができるユーザ情報を受け取るためのユーザ情報入力部を備える。そして、複製制御部は、前記ユーザ情報入力部を介して前記ユーザ情報が入力されたことを含む所定の条件が満たされた場合に、前記複製部による複製を許諾する。
【００１１】
また、課金決定部は、複数組のページ情報に対応する全ページの著作物が、所定期間内に同一のユーザによって読み取られた場合には、組課金情報が表す付加料金に基づいて、著作物の複製に対して複製料金を決定する。
このような態様とすれば、複数ページまとまって複製されたときに著作物の価値が向上するような複数ページの著作物の複製を、同一ユーザが行った場合についても、その複製された著作物の価値に応じた課金を行うことができる。
【００１２】
なお、本発明は、種々の形態で実現することが可能である。たとえば、複製方法、複製装置、複製管理方法、複製管理装置、課金方法、課金装置、複製料金管理システム、それらの方法または装置の機能を実現するためのコンピュータプログラム、そのコンピュータプログラムを記録した記録媒体、およびそのコンピュータプログラムを含み搬送波内に具現化されたデータ信号等の形態で実現することができる。
【発明を実施するための最良の形態】
【００１３】
Ａ．第１実施例：
図１に示すように、複製料金管理システムは、課金サーバ１００と、インターネットやＬＡＮ（Local Area Network）等のネットワークＮＴを介して課金サーバ１００に接続されている複製部としてのコピー機２１０，２２０を備える。なお、課金サーバ１００に接続されるコピー機は、３台以上（複数）とすることも可能である。
【００１４】
課金サーバ１００は、通信部１０２と、制御部１０４と、課金記憶部としての記憶部１０６とを有している。課金サーバ１００は、通信部１０２およびネットワークＮＴを介してコピー機２１０，２２０と通信を行うことができる。課金サーバ１００の制御部１０４は、記憶部１０６内の課金データベースＤＢｃを参照して、コピー機２１０，２２０からネットワークＮＴを介して送信された情報に基づいて、各コピー機で行われようとするコピーに対して請求する複製料金（以下、「複写料金」ともいう。）を決定する。その後、課金サーバ１００は、通信部１０２を介して、その複写料金を表す料金情報をコピー機２１０，２２０に送信する。
【００１５】
課金サーバ１００の記憶部１０６には、コピーに対して請求する複写料金の情報の一部として、たとえば、記録媒体特定情報（以下、「書籍情報」ともいう。）としての国際標準図書番号（ＩＳＢＮ：International Standard Book Number）およびページ情報としてのページ番号と関連づけられた複写単価の情報が記憶されている。この複写単価の情報は、具体的には記憶部１０６における課金データベースＤＢｃ内の複写単価のデータベースＤＢ１（図１）に記憶されている。
【００１６】
また、記憶部１０６には、コピーに対して請求する複写料金の情報の一部として、所定のページ番号の組み合わせと対応づけられた付加料金の情報が記憶されている。この付加料金の情報は、記憶部１０６における課金データベースＤＢｃ内のデータベースＤＢ２（図１）に記憶されている。
【００１７】
また、課金サーバ１００の記憶部１０６におけるユーザデータベースＵＤＢには、複写を許可されたユーザのユーザ情報が記憶されている。課金サーバ１００の制御部１０４は、記憶部１０６内のユーザデータベースＵＤＢを参照して、コピー機２１０，２２０からネットワークＮＴを介して送信されたユーザ情報に基づいて、各コピー機２１０，２２０においてコピーを許可するか否かを決定する。その後、課金サーバ１００は、通信部１０２を介して、その決定の結果を表す情報をコピー機２１０，２２０に送信する。
【００１８】
コピー機２１０は、載置部２１１と、光学センサ２１２と、印刷部２１３と、書籍情報読取部２１４と、ユーザ情報入力部としてのユーザカード読取部２１５と、通信部２１６と、制御部２１７と、記憶部２１８と、操作部２１９とを備える。
載置部２１１は、平板状をなしている。当該載置部２１１にはコピーを行う際に、コピーする対象である原記録媒体としての書籍Ｍ０などが、コピーする側の面を下にして載置される。載置部２１１のうち、コピー対象が置かれるべき部分は、透明な素材で構成される。
光学センサ２１２は、載置部２１１を挟んで逆の側に置かれるコピー対象の表面（すなわち書籍Ｍ０の内容が書かれている側の面）を、載置部２１１を通して光学的に読み取ることができるセンサである。光学センサ２１２によって読み取られた情報は、画像データとして記憶部２１８に記憶される。
【００１９】
なお、本明細書において、ユーザが書籍Ｍ０などの原記録媒体からコピーする著作物としての文字や図形の情報を「内容情報」と呼ぶことがある。なお、書籍の表紙や奥付き等をユーザがコピーする場合は、表紙や奥付きに記載されており、ユーザによってコピーされる書名や著者名の情報は、「内容情報」に含まれる。すなわち、本明細書において、課金管理のための情報であって内容情報を記録している書籍Ｍ０などの原記録媒体を特定することができる情報、およびその各ページを特定することができる情報は、課金管理のための情報であって、コピーによってユーザによって入手されない情報を表す。ただし、これらの情報の一部または全部と同じ情報が書籍Ｍ０のページから読み取られて「内容情報」に含まれることは妨げない。
【００２０】
印刷部２１３は、記憶部２１８に記憶された画像データに応じて、２次記録媒体としての印刷用紙Ｍ２に印刷を行うことができる。印刷部２１３は、たとえば、感光ドラムにトナーを付着させるとともに、当該トナーを印刷用紙Ｍ２に転写することで印刷を行う構成とすることができる。
【００２１】
書籍情報読取部２１４は、書籍Ｍ０の背表紙に貼付された媒体情報記憶部としての非接触式ＩＣタグＭｉ１（図１において図示せず）との間で交信を行い、非接触式ＩＣタグＭｉ１に記憶された書籍情報を読みとる装置である。書籍情報読取部２１４は、コピー機２１０を使用してコピーを行う際、コピーの対象を載置部２１１に押しつけるための蓋部に設けられている。書籍情報読取部２１４は、様々な大きさの書籍の背表紙に設けられた非接触式ＩＣタグを読み取ることができるように、十分な範囲の非接触式ＩＣタグを読めるように構成および配置されている。
【００２２】
ユーザカード読取部２１５には、接触式ＩＣタグを備えるユーザＩＤカードＵＣが挿入され、ユーザＩＤカードＵＣに記録されたユーザに関する情報を読みとることができる装置である。
通信部２１６は、ネットワークＮＴを介して課金サーバ１００と通信を行うための装置である。
制御部２１７は、載置部２１１、光学センサ２１２、印刷部２１３、書籍情報読取部２１４、ユーザカード読取部２１５、通信部２１６、操作部２１９を制御して、各種の処理を行う。
【００２３】
記憶部２１８は、光学センサ２１２、書籍情報読取部２１４、ユーザカード読取部２１５、通信部２１６などを介して取得された情報や、制御部２１７によって加工された情報を記憶することができる。記憶部２１８は、半導体メモリや固定ディスクなどの記憶媒体で構成することができる。
【００２４】
操作部２１９は、ユーザからの指示を受け取ることができるとともに、制御部２１７に制御されてコピー機２１０の状態をユーザに示すことができる、タッチパネル機能を有する液晶パネルである。制御部２１７は、操作部２１９を介してユーザからの指示情報を受け取り、操作部２１９を介してユーザにコピー機２１０の状態を報知する。
【００２５】
一方、もう１台のコピー機２２０は、載置部２２１と、光学センサ２２２と、印刷部２２３と、書籍情報読取部２２４と、ユーザカード読取部２２５と、通信部２２６と、制御部２２７と、記憶部２２８とを備える。コピー機２２０の各部の構成および作用は、コピー機２１０の対応する各部の構成および作用と同じである。なお、コピー機２１０，２２０の互いに対応する構成は、末尾の番号が同じ符号が付されている。
【００２６】
次に、複写単価のデータベースＤＢ１の内容について説明する。
たとえば、あるＩＳＢＮ９７８−４−７６９３−ＸＸＸＸ−Ｙを有する書籍については、広告が掲載されている第１０ページ、第１５ページ、第１６ページ、および第２２ページについては、複写単価を通常より安価な値（たとえば１ページあたりの実費である１０円）とする。
【００２７】
次に、付加料金のデータベースＤＢ２の内容について説明する。
たとえば、あるＩＳＢＮ９７８−４−７６９３−ＰＰＰＰ−Ｑを有する住宅地図については、あるアパートを含む地図が掲載されている第５ページと、そのアパートの部屋ごとの住居者名リストが記載されている第１０２〜１０４ページと、の組み合わせについては、付加料金として２０円を設定することができる。
【００２８】
次に、本複製料金管理システムにおいて使用される書籍Ｍ０について説明する。
図２に示すように、書籍Ｍ０は、各種著作物が印刷された複数ページからなる刊行物である。その背表紙にはＲＦＩＤ（Radio Frequency Identification System）の一種である特定情報記録部としての非接触式ＩＣタグＭｉ１が貼付されている。非接触式ＩＣタグＭｉ１には、その書籍の国際標準図書番号（ＩＳＢＮ：International Standard Book Number）と、後述するページ情報記録部としてのページコードＭｉ２の印刷位置を表わす情報とが記憶されている。非接触式ＩＣタグＭｉ１によって記録媒体に関する各種情報を特定することができる。
【００２９】
図３に示すように、書籍Ｍ０には、各ページにページ番号を表わすページコードＭｉ２が記録されている。ページコードＭｉ２は、微小領域における印刷の有無により全体として情報を表す模様である。ページコードＭｉ２は、たとえば、光学的に読み取り可能なバーコードやＱＲコード（登録商標）である。ページコードＭｉ２は、複数のページ中のどのページの著作物が読み出し状態にあるかを識別可能とする情報である。
【００３０】
ページコードＭｉ２には、書籍Ｍ０において、当該ページコードＭｉ２が付されているページのページ番号に関する情報が含まれている。ページコードＭｉ２は、各ページの前小口Ｍ０１よりも綴じ部（のど）Ｍ０２に近い位置に配されている。また、図３に示すように、ページコードＭｉ２は、天Ｍ０３および地Ｍ０４の方向については、書籍Ｍ０の各ページを天地方向に３等分したときの中央の部分に配されている。
【００３１】
これは、たとえば、ページコードＭｉ２を各ページの端に設けると、ページの一部を折り曲げたり、破ったりするなどして、コピーの際に、異なるページのページコードをそのページのページコードであるかのように見せかける不正行為が行われるおそれがあるという理由による。一方、本実施例においては上述した書籍Ｍ０の位置にページコードＭｉ２を設けることにより、そのような不正行為を防止することができる。なお、背表紙に貼付された非接触式ＩＣタグＭｉ１には、このページコードＭｉ２の印刷位置に関する情報も記録されている。
【００３２】
次に、コピー機２１０で書籍Ｍ０の複写を行う際の、コピー機２１０と課金サーバ１００とにおける処理を図４に基づいて説明する。なお、コピー機２２０で書籍Ｍ０の複写を行う場合も勿論同様の処理が行われる。
コピー機２１０で書籍Ｍ０の複写を行う際には、まず、ユーザによってコピー機２１０のユーザカード読取部２１５にユーザＩＤカードＵＣが挿入される。すると、図４に示すようにコピー機２１０の制御部２１７は、ユーザカード読取部２１５を介してユーザＩＤカードＵＣ内に記憶されているユーザ情報を取得する（ステップＳ２１０）。ユーザ情報は、各ユーザに固有に与えられた情報である。なお、ステップＳ２１０の機能を奏する制御部２１７の機能部を、ユーザ情報取得部４１０として図１に示す。
【００３３】
次に、制御部２１７は、通信部２１６を介してユーザ情報を課金サーバ１００に送信する（ステップＳ２２０）。すると、課金サーバ１００の制御部１０４は、通信部１０２を介して、ユーザ情報を受信する（ステップＳ１１０）。
【００３４】
課金サーバ１００の制御部１０４は、ユーザＩＤカードＵＣから読み出されたユーザ情報で表わされるユーザが、複写を許可されたユーザであるか否かを判定する（ステップＳ１２０）。ここで、課金サーバ１００の記憶部１０６には、複写を許可されたユーザのユーザ情報がユーザデータベースＵＤＢとして記憶されている。課金サーバ１００の制御部１０４は、ユーザデータベースＵＤＢ内の複写を許可されたユーザのユーザ情報と、ユーザＩＤカードＵＣから読み出されたユーザ情報とを照合する（ステップＳ１２０）。そして、ユーザの判定を行う。なお、ステップＳ１２０の機能を奏する制御部１０４の機能部を、ユーザ照合部３１０として図１に示す。
【００３５】
次に、課金サーバ１００の制御部１０４は、通信部１０２を介して、ユーザ情報の照合結果を、コピー機２１０に送信する（ステップＳ１３０）。コピー機２１０の制御部２１７は、通信部２１６を介して照合結果を受信する（ステップＳ２３０）。
【００３６】
コピー機２１０の制御部２１７は、ユーザＩＤカードＵＣから読み出されたユーザ情報が表すユーザが、複写を許可されたユーザであった否かを判定する（ステップＳ２３５）。複写を許可されたユーザであった場合には、制御部２１７は、操作部２１９を使用して、コピーが可能である旨の表示を行う。一方、複写を許可されたユーザではなかった場合には、制御部２１７は、操作部２１９を使用して、コピーが許可されない旨の表示を行う。その後、処理は終了する。
【００３７】
ステップＳ２３５において、操作部２１９上でコピーが可能である旨の表示が行われた後、ユーザによって、操作部２１９を介してコピー機２１０を操作して、書籍Ｍ０のコピーが行われる。その間、制御部２１７は、ステップＳ２４０〜Ｓ２６０の処理を行う。なお、その間、光学センサ２１２による読み取りは行われるが、印刷部２１３による印刷は行われない。
【００３８】
コピー機２１０の制御部２１７は、書籍情報読取部２１４を介して、書籍Ｍ０の非接触式ＩＣタグＭｉ１から、書籍Ｍ０の書籍情報を取得する（ステップＳ２４０）。より具体的には、書籍情報としてのＩＳＢＮと、ページコードＭｉ２の印刷位置（図３参照）の情報とが取得される。取得されたＩＳＢＮと、ページコードＭｉ２の印刷位置の情報とは、記憶部２１８に記憶される。なお、ステップＳ２４０の機能を奏する制御部２１７の機能部を、書籍情報取得部４２０として図１に示す。
【００３９】
コピー機２１０の制御部２１７は、操作部２１９を介したユーザからの指示を受けて、光学センサ２１２を使用して、書籍Ｍ０の表面を光学的に読み取る（ステップＳ２５０）。その結果、生成される画像データは、記憶部２１８に記憶される。なお、図４のステップＳ２５０の機能を奏する制御部２１７の機能部を、画像データ取得部４３０として図１に示す。
【００４０】
コピー機２１０の制御部２１７は、ステップＳ２４０で得たページコードＭｉ２の印刷位置の情報に基づいて、ステップＳ２５０で得た画像データのうちのページコードＭｉ２に相当する部分を解析し、ページコードＭｉ２が表すページ情報を取得する（ステップＳ２６０）。より具体的には、光学センサ２１２を介して読み込まれたページのページ番号が取得される。取得されたページ番号は、記憶部２１８に記憶される。なお、ＯＣＲ（Optical Character Reader）処理（ステップＳ２６０）によってページ番号を取得する機能を奏する制御部２１７の機能部を、ページ番号取得部４４０として図１に示す。
【００４１】
本実施例においては、ページコードＭｉ２の印刷位置の情報が非接触式ＩＣタグＭｉ１から予め取得されている。このため、画像データの一部を解析することでページ番号の情報を得ることができる。よって、ページコードＭｉ２の印刷位置が不明であり、画像データの全部を解析する必要がある態様に比べて、ページ情報を取得する処理（ステップＳ２６０）の負荷が軽減される。
【００４２】
コピー機２１０の制御部２１７は、操作部２１９を使用して、コピーを終了するか否かを問い合わせる（ステップＳ２６５）。操作部２１９を介してユーザからコピーを終了する旨の指示があった場合には、処理は、ステップＳ２７０に進む。操作部２１９を介してユーザからコピーを行う（続ける）旨の指示があった場合には、読み取り処理を実行する（ステップＳ２５０）。
コピー機２１０の制御部２１７は、光学センサ２１２を介して読み込まれたページのページ番号を表すページ情報と、ＩＳＢＮとを、通信部２１６を介して課金サーバ１００に送信する（ステップＳ２７０）。
【００４３】
課金サーバ１００の制御部１０４は、ＩＳＢＮと、読み込まれたページのページ情報とを、通信部１０２を介して受信する（ステップＳ１４０）。
課金サーバ１００の制御部１０４は、ＩＳＢＮと、読み込まれたページのページ情報とに基づいて、記憶部１０６内の課金データベースＤＢｃを参照しつつ、ユーザが行おうとしている複写に対して請求する複写料金を計算する（ステップＳ１５０）。
【００４４】
たとえば、あるＩＳＢＮ９７８−４−７６９３−ＸＸＸＸ−Ｙを有する書籍について、第１〜１０ページがコピーされた場合には、課金データベースＤＢｃに基づいて、たとえば、広告が掲載されている第１０ページについては、（１ページあたり）１０円を課金する。また、実験結果が掲載されている第４〜６ページについては、１ページあたり５０円を課金し、第１〜３ページ、および第７〜９ページについては、１ページあたり３０円を課金することができる。
【００４５】
課金サーバ１００の制御部１０４は、それらの合計金額を、ユーザが行おうとしている複写に対して請求する複写料金とする（ステップＳ１５０）。このような態様とすれば、１冊の書籍中のページごとに異なる複写料金を設定して、複写を行う者に対して、複写料金を請求することができる。なお、ステップＳ１５０の機能を奏する制御部１０４の機能部を、料金計算部３２０として図１に示す。
【００４６】
課金サーバ１００の制御部１０４は、ステップＳ１５０で計算した複写料金を表す料金情報を、通信部１０２を介して、コピー機２１０に送信する（ステップＳ１６０）。
コピー機２１０の制御部２１７は、通信部２１６を介して、料金情報を受信する（ステップＳ２８０）。そして、料金情報に基づいて、操作部２１９において、複写料金の表示を行う。
【００４７】
その後、ステップＳ２８５において、操作部２１９を介して出力を行うべき旨の指示がユーザからあった場合には、処理は、ステップＳ２９０に進む。コピー機２１０の制御部２１７は、記憶部２１８に記憶された画像データに基づいて、印刷部２１３を使用して印刷用紙Ｍ２に印刷を行う（ステップＳ２９０）。ステップＳ２９０の機能を奏する制御部２１７の機能部を、印刷制御部４５０として図１に示す。
一方、ステップＳ２８５において、操作部２１９を介して出力を行わない旨の指示がユーザからあった場合には、処理は終了する。
【００４８】
本実施例のような態様とすれば、ページ単位で著作物を読み取ることができる書籍Ｍ０の各ページの著作物を複写する際における課金を、ページ単位で、きめ細かく行うことができる。その結果、ページ単位で著作物を読み取ることができる書籍Ｍ０の各ページの著作物を複写する際の課金の利便性を向上させることができる。
【００４９】
なお、上記実施例では、複写料金に関して、書籍のページごとに異なる複写単価を設定する例について説明した。しかし、複写単価のデータベースＤＢ１が記憶する情報は、以下のようなものとすることもできる。たとえば、複写料金の一部を広告主が負担するようなシステムとしてもよい。また、実験結果が掲載されている第４〜６ページについては通常よりも高価な額（たとえば１ページあたり５０円）とすることができる。そして、他のページについては通常の額（たとえば１ページあたり３０円）とすることができる。
【００５０】
また、上記実施例では、付加料金に関して、住宅地図と住居者名リストの一例について簡単に説明した。しかし、付加料金のデータベースＤＢ２が記憶する付加料金は、他の態様とすることもできる。たとえば、住宅地図と住居者名リスト例において、アパートを含む地図と、住居者名リストとは、上記のように同じ本に収録されていてもよいが、異なる本に収録されていてもよい。
【００５１】
また、あるＩＳＢＮ９７８−４−７６９３−ＰＰＰＰ−Ｑを有する住宅地図について、全体で一つの市の地図を構成する部分地図が掲載されている複数のページの組み合わせについては、付加料金として５０円を設定することができる。さらに、あるＩＳＢＮ９７８−４−７６９３−ＸＸＸＸ−Ｙを有する書籍については、各章ごとに、章を構成するすべてのページの組について、付加料金として１００円を設定することができる。
【００５２】
書籍情報読取部２１４および書籍情報取得部４２０が、「記録媒体特定情報取得部」に相当する。ページ番号取得部４４０が、「ページ情報取得部」に相当する。料金計算部３２０が、「課金決定部」に相当する。また、本実施例において、複写単価のデータベースＤＢ１が記憶している情報が、「課金情報」に相当する。付加料金のデータベースＤＢ２が記憶している情報が、「組課金情報」に相当する。
【００５３】
Ｂ．第２実施例：
第１実施例では、図４のステップＳ１５０の処理においては、あるユーザが１台のコピー機（たとえばコピー機２１０）を使用してコピーを行おうとする際に、そのコピー機から送信された書籍情報およびページ情報に基づいて、複写料金が計算される。一方、第２実施例においては、過去の一定期間に複数台のコピー機から送信された書籍情報およびページ情報に基づいて、複写料金が計算される。具体的には、第２実施例においては、図４のステップＳ１１０，Ｓ１４０，Ｓ１５０の処理が第１実施例とは異なる。第２実施例の他の点については、第１実施例と同じである。
【００５４】
課金サーバ１００の制御部１０４は、図１のステップＳ１１０で受信したユーザ情報、ならびにステップＳ１４０で受信した書籍情報およびページ情報を、記憶部１０６に記憶するとともに、所定の期間分（たとえば、３日間分）だけ保持する。これらの情報を含むデータを複写履歴データＣＨＤと呼ぶ（図１参照）。複写履歴データＣＨＤは、課金サーバ１００に接続された複数のコピー機２１０，２２０からのユーザ情報、書籍情報およびページ情報の受信（図４のステップＳ１１０，Ｓ１４０）に応じて更新される。第２実施例における料金の計算処理では、この複写履歴データＣＨＤを使用して付加料金の計算が行われる。
【００５５】
次に、第２実施例における料金の計算処理（図１のステップＳ１５０に相当）について説明する。
図５に示すように、課金サーバ１００の制御部１０４は、ユーザが行おうとしている複写に対して請求する複写料金のうち、ページ単位の課金のみに基づく複写料金を計算する（ステップＳ１５２）。具体的な処理は、第１実施例においてステップＳ１５０について説明した内容と同じである。
【００５６】
すなわち、たとえば、あるＩＳＢＮ９７８−４−７６９３−ＸＸＸＸ−Ｙを有する書籍について、第１〜１０ページがコピーされた場合には、課金データベースＤＢｃに基づいて、たとえば、広告が掲載されている第１０ページについては、（１ページあたり）１０円を課金する。また、実験結果が掲載されている第４〜６ページについては、１ページあたり５０円を課金し、第１〜３ページ、および第７〜９ページについては、１ページあたり３０円を課金することができる。
【００５７】
課金サーバ１００の制御部１０４は、記憶部１０６に記憶された複写履歴データＣＨＤが、直前のステップＳ１１０（図４参照）で受信したユーザ情報のユーザによるコピーの記録を含むか否かを判定する（図５のステップＳ１５４）。複写履歴データＣＨＤが、直前に受信したユーザ情報におけるユーザのコピーの記録を含む場合には、処理はステップＳ１５６に進む。一方、複写履歴データＣＨＤが、直前に受信したユーザ情報のユーザの記録を含まない場合には、処理を終了する。その場合には、ページ単位の課金のみに基づく複写料金（ステップＳ１５２参照）が、ユーザが行おうとしている複写に対して請求する複写料金となる。
【００５８】
課金サーバ１００の制御部１０４は、記憶部１０６内の複写履歴データＣＨＤと課金データベースＤＢｃとに基づいて、以下の判定を行う（ステップＳ１５６）。すなわち、課金データベースＤＢｃに登録されている、付加料金と対応づけられた所定のページ番号における組み合わせのうち、今回のコピーによって、新たにすべてのページがコピーされた組み合わせが存在するか否かが判定される。そのようなページ番号の組み合わせが存在する場合には、処理はステップＳ１５８に進む。そのようなページ番号の組み合わせが存在しない場合には、処理は終了する。その場合には、ページ単位の課金のみに基づく複写料金（ステップＳ１５２参照）が、ユーザが行おうとしている複写に対して請求する複写料金となる。
【００５９】
コピーに対して請求する複写料金の情報の一部として、所定のページ番号の組み合わせと対応づけられた付加料金が計算され、ステップＳ１５２で得られた複写料金に加算される（ステップＳ１５８）。なお、付加料金と対応づけられた所定のページ番号における組み合わせのうち、今回のコピーによって、新たにすべてのページのコピーが完了した組み合わせが複数、存在する場合には、それらすべてのページ番号における組み合わせの付加料金が加算される。すなわち、ステップＳ１５８の処理が行われる場合には、ページ単位の課金のみに基づく複写料金（ステップＳ１５２参照）と、過去のコピー履歴を考慮して定められる付加料金（ステップＳ１５８参照）とが、ユーザが行おうとしている複写に対して請求する複写料金に含まれる。
【００６０】
たとえば、あるＩＳＢＮ９７８−４−７６９３−ＰＰＰＰ−Ｑを有する住宅地図については、あるアパートを含む地図が掲載されている第５ページと、そのアパートの部屋ごとの住居者名が記載されている第１０３ページと、がコピー機２１０による今回のコピーにおいてコピーされた場合には、１ページごとの課金（たとえば、１ページあたり３０円）に加えて、付加料金として２０円が課金される。また、全体で一つの市の地図を構成する部分地図が掲載されている複数のページのすべてが今回のコピーにおいてコピーされた場合には、１ページごとの課金に加えて、付加料金として５０円が課金される。
【００６１】
また、あるユーザが、まず、コピー機２１０で、あるＩＳＢＮ９７８−４−７６９３−ＸＸＸＸ−Ｙを有する書籍の第４章のうち、先頭の１２０ページから１５５ページまでをコピーし、３日後に他のコピー機２２０で、１５６ページから第４章の最終ページである１８２ページまでコピーしたとする。そのような場合には、コピー機２２０を使用した後のコピーにおいて、１２０ページから１５５ページまでのコピーについて、１ページあたり３０円が課金される（ステップＳ１５２）。そして、第４章全体をコピーしたことに起因する付加料金１００円が加算される（ステップＳ１５８）。
【００６２】
このような態様とすれば、異なるコピー機で、時間をあけてコピーが行われた場合であっても、まとめてコピーすることによって情報としての価値が上昇するページについて、複写を行う者に対して請求する料金として、その価値に見合った料金を設定することができる。
なお、本実施例における制御部１０４が、「課金制御部」に相当する。制御部２１７が、「複製制御部」に相当する。
【００６３】
Ｃ．変形例：
なお、この発明は上記の実施例や実施形態に限られるものではなく、その要旨を逸脱しない範囲において種々の態様において実施することが可能である。たとえば次のような変形も可能である。
【００６４】
・上記実施例においては、書籍Ｍ０に関連づけられており、当該書籍Ｍ０を特定することができる書籍情報として、国際標準図書番号（ＩＳＢＮ）が採用されている。このほかにも、書籍Ｍ０に関連づけられ書籍Ｍ０を特定することができる書籍情報としては、他の情報を採用することもできる。たとえば、書名、著者名、出版社名、版形（たとえば、新書版）、版の番号（たとえば、第３版）、刷の番号（たとえば、第２刷）の少なくとも一部を組み合わせて、書籍情報とすることもできる。また、ＵＲＩ（Uniform Resource Identifier）を書籍情報とすることもできる。すなわち、書籍Ｍ０に関連づけられた書籍情報は、ある書籍Ｍ０を、他の書籍Ｍ０と区別して、特定することができる情報（たとえば、文字、数字、記号の組み合わせなどで表される情報）であればよい。
【００６５】
・書籍情報を記録した媒体情報記憶部としての非接触式ＩＣタグＭｉ１は、他の態様で構成することもできる。たとえば、バーコードやＱＲコード（登録商標）などの、各部分の印刷の有無により全体として情報を表す２次元コードとすることもできる。そのような態様においては、非接触式ＩＣタグＭｉ１は、光学的に読み取ることができる。よって、そのような態様においては、記録媒体特定情報取得部も光学的手段を介して書籍情報を取得できるように構成することが好ましい。
【００６６】
また、上記実施例においては、非接触式ＩＣタグＭｉ１は、原記録媒体としての書籍Ｍ０の背表紙に貼付されている。このほか、非接触式ＩＣタグＭｉ１は、書籍Ｍ０のどこかに設けられていればよい。たとえば、表紙や裏表紙に貼付されていてもよい。また、表紙や裏表紙、背表紙に埋め込まれていてもよい。さらに、各ページに設けられていてもよい。たとえば、書籍情報を記録した非接触式ＩＣタグＭｉ１と、ページ情報を記録したページコードＭｉ２とを一体として、光学的に情報を記録した一つの模様（たとえば、バーコードなど）として、各ページに記録することもできる。
【００６７】
上記実施例においては、書籍情報読取部２１４は、コピー機２１０を使用してコピーを行う際、コピーの対象を載置部２１１に押しつけるための蓋部に設けられている。このほか、記録媒体特定情報取得部としての書籍情報読取部２１４は、たとえば、載置部２１１など他の場所に設けることもできる。ただし、入力部を介して書籍のページを光学的に読み取る際に、書籍情報を取得できるように構成されることが好ましい。そして、書籍に設けられた非接触式ＩＣタグＭｉ１から、非接触で書籍情報を取得できることが好ましい。
【００６８】
・上記実施例では、ページ情報はページ番号である。このページ番号は、その書籍内における通し番号であってもよいが、他の法則性にしたがって付されたページ番号であってもよい。たとえば、雑誌であれば、各年の第１号の第１ページから通し番号として各ページに付された番号であってもよい。また、その雑誌自体の創刊号の第１ページから通し番号として各ページに付された番号であってもよい。すなわち、ページ情報は、少なくともその書籍Ｍ０内において、あるページを他のページと区別できる情報（たとえば、文字、数字、記号の組み合わせなどで表される情報）であればよい。
【００６９】
また、上記実施例では、課金サーバ１００は、データベースＤＢ１として、ＩＳＢＮおよびページ番号と対応づけられた複写単価の情報を有している（図１参照）。課金サーバ１００は、データベースＤＢ２として、所定のページ番号の組み合わせと対応づけられた付加料金の情報を有している（同）。そして、このデータベースＤＢ１，ＤＢ２を含む課金データベースＤＢｃを参照して、コピーの複写料金が決定される（図４のステップＳ１５０）。
【００７０】
このほか、各ページに設けられたページコードＭｉ２が、ページ情報の少なくとも一部として、そのページの複写単価の情報を含んでいてもよい。また、ページコードＭｉ２が、ページ情報の少なくとも一部として、そのページと関連づけられた複数のページ（他の書籍のページでもよい）の情報と、それらすべてがコピーされたときの付加料金の情報を含んでいてもよい。すなわち、ページコードＭｉ２は、ページコードＭｉ２が設けられているページと関連づけられた、所定のページ情報を記憶するものとすることができる。
【００７１】
また、上記実施例においては、複写単価の情報は、書籍情報としてのＩＳＢＮと、ページ情報としてのページ番号とに対応づけられて記憶されている。このほか、複写単価の情報は、書籍情報のみと対応づけられて記憶されていてもよい。たとえば、ページごとの複写単価が一定である書籍については、複写単価は、書籍情報のみと対応づけられて記憶されていてもよい。また、ページ番号と対応づけられて記憶されていてもよい。
【００７２】
・上記実施例においては、ページ情報を記録したページコードＭｉ２は、微小領域における印刷の有無により全体として情報を表す模様である。このほか、ページコードＭｉ２は、たとえば、磁気によってページ情報を記録する磁気記録媒体や、ＩＣタグなどの他の態様で構成することもできる。ただし、ページコードＭｉ２は、光学的に情報を記録した記憶部とすることが好ましい。たとえば、ページコードＭｉ２は、可視光以外の光を当てることで情報を読み取ることができる態様であってもよい。
【００７３】
また、上記実施例においては、ページコードＭｉ２は、各ページの前小口Ｍ０１よりも綴じ部Ｍ０２に近い位置に配されている。また、ページコードＭｉ２は、天地方向については、書籍Ｍ０の各ページを天地方向に３等分したときの中央の部分に含まれる。このほか、ページ情報を記録したページコードＭｉ２は、各ページの任意の位置に設けることができる。また、ページコードＭｉ２は、各ページの表面に設けられる態様に限らず、たとえば、各ページ内に埋め込まれていてもよい。ただし、ページコードＭｉ２は、原記録媒体としての書籍Ｍ０の内容情報とともに、ページ情報を光学的に読み取ることができるように構成され、配されていることがさらに好ましい。
【００７４】
・上記実施例においては、記憶部２１８に記憶された画像データに基づいて、印刷部２１３を使用して印刷用紙Ｍ２に複写（印刷）が行われる。もっとも、書籍Ｍ０から読み取った情報に基づいて印刷用紙Ｍ２等の２次記録媒体に複製を行う処理は、紙や樹脂製のシートなどの人間が直接情報を読み取ることができる物理的な媒体への記録に限られない。つまり、２次記録媒体には、半導体メモリやハードディスク等も含まれる。したがって、書籍Ｍ０から読み取った情報に基づいて所定のフォーマットのデータ（たとえば、gif形式、jpeg形式、PDF形式のデータファイルなど）を生成して、２次記憶媒体に複製する処理とすることもできる。
【００７５】
・上記実施例では言及していないが、たとえば、複写したページ数が所定数以上となった場合や、複写料金が一定値以上となった場合には、複写料金を低減する態様とすることもできる。複写したページ数や複写料金は、図４のステップＳ２４０，Ｓ１４０のページ情報に基づいて得られるそのときのコピーに基づいて計算することができる。また、複写履歴データＣＨＤを参照して、過去の所定期間内で複写されたページ数や課金された複写料金に基づいて定めることもできる。複写料金を低減する態様としては、ページ単価を減額する、合計料金を所定割合だけ減額する、合計料金から所定の金額を低減する、など、様々な態様とすることができる。なお、所定期間については、複製料金管理システムの管理者が所望の期間に予め設定しておくことが可能である。
【００７６】
・複製料金管理システムは、記憶部１０６内に著作権情報を記憶する著作権データベースを備える態様とすることができる。この著作権データベースは、著作者が複製料金管理システムのユーザに含まれる場合には、その著作者のユーザ情報を記憶している。また、著作権データベースは、書籍情報（ＩＳＢＮ）と対応づけて著作者情報を記憶している。さらに、著作権データベースは、著作権の存否についての情報も記憶している。
【００７７】
そのような態様においては、図４のステップＳ１５０の処理において、ステップＳ１１０で得たユーザ情報と、著作権データベースを参照してＩＳＢＮから得られる著作者情報とを照合する。そして、ユーザ情報のユーザと著作者が一致する場合には、複写料金を、一般ユーザの場合よりも低額な、実費に相当する複写料金とする（ステップＳ１５０）。
【００７８】
また、そのような態様においては、図４のステップＳ１５０の処理において、著作権データベースを参照し、ＩＳＢＮに基づいて著作権の存否を確認する。すでに著作権が消滅している場合には、複写料金は、著作権が存続している書籍に比べて低額な、実費に相当する複写料金とする。
このような態様とすれば、著作権の存否、および著作者か否かに応じた適切な複写料金設定を行うことができる。
【００７９】
・上記実施例においては、操作部２１９を介して出力を行うべき旨の指示がユーザからあった場合には、印刷を実行する（図４のステップＳ２８５，Ｓ２９０参照）。このほか、他の処理を経て情報の記録を行う態様とすることもできる。
たとえば、コピー機が現金処理機を備える態様とし、計算された料金以上の紙幣や貨幣が現金処理機に実際に投入されたことを確認して、情報の記録を行う態様とすることもできる。また、ユーザＩＤカードＵＣはプリペイドカード機能を備えるカードとし、ユーザＩＤカードＵＣから計算された料金を引き落とした後に、情報の記録を行う態様とすることもできる。
【００８０】
さらに、ユーザ情報とユーザの銀行の口座とを関連づけておき、ユーザの銀行の口座からの料金の引き落としを行った後に、情報の記録を行う態様とすることもできる。また、ユーザＩＤカードＵＣはクレジットカード機能を備えたカードとし、または、ユーザ情報とユーザのクレジットカード番号とを関連づけておく。そして、クレジットカードのアカウントが有効であることを確認した後に、情報の記録を行う態様とすることもできる。すなわち、料金を計算した後、情報の記録を行うきっかけとする処理は、様々な処理とすることができる。
【００８１】
・上記第２実施例では、２台のコピー機からの情報に基づいて複写履歴データＣＨＤが更新されるが、過去の所定の期間にユーザがコピーした書籍の書籍情報およびページのページ情報は、１台のみのコピー機からの情報に基づいて更新される態様とすることもできる。そのような態様としても、１台のコピー機で間をあけて関連する複数ページをコピーした場合に、付加料金を課することができる。
【００８２】
・上記実施例においては、ユーザＩＤカードＵＣから読み出されたユーザ情報が表すユーザが、複写を許可されたユーザであることを確認した後に、記載に内容の読み取りを行う（図４のステップＳ１２０，Ｓ２５０参照）。このほか、複写を許可されたユーザであることを確認せずに、記載に内容の読み取りを行う態様とすることもできる。そのような対応とすれば、広く一般ユーザを対象にコピーを行わせ、課金を行うことができる。また、たとえば、図書館における取り決めとして、ある章全体の複写を禁じている場合などには、そのような態様として、コピーを行うユーザを特定せずに、ページ単位の課金のみを行うことができる。
【００８３】
・上記実施例において、ハードウェアによって実現されていた構成の一部をソフトウェアに置き換えるようにしてもよく、逆に、ソフトウェアによって実現されていた構成の一部をハードウェアに置き換えるようにしてもよい。たとえば、制御部２１７，２２７（図１）の機能の一部をホストコンピュータとしての課金サーバ１００の制御部１０４が実行するようにすることもできる。
【００８４】
このような機能を実現するコンピュータプログラムは、フロッピディスクやＣＤ−ＲＯＭ等の、コンピュータ読み取り可能な記録媒体に記録された形態で提供される。ホストコンピュータは、その記録媒体からコンピュータプログラムを読み取って内部記憶装置または外部記憶装置に転送する。あるいは、通信経路を介してプログラム供給装置からホストコンピュータにコンピュータプログラムを供給するようにしてもよい。コンピュータプログラムの機能を実現する時には、内部記憶装置に記憶されたコンピュータプログラムがホストコンピュータのマイクロプロセッサによって実行される。また、記録媒体に記録されたコンピュータプログラムをホストコンピュータが直接実行するようにしてもよい。
【００８５】
この明細書において、ホストコンピュータとは、ハードウェア装置とオペレーションシステムとを含む概念であり、オペレーションシステムの制御の下で動作するハードウェア装置を意味している。コンピュータプログラムは、このようなホストコンピュータに、上述の各部の機能を実現させる。なお、上述の機能の一部は、アプリケーションプログラムでなく、オペレーションシステムによって実現されていても良い。
【００８６】
なお、この発明において、「コンピュータ読み取り可能な記録媒体」とは、フレキシブルディスクやＣＤ−ＲＯＭのような携帯型の記録媒体に限らず、各種のＲＡＭやＲＯＭ等のコンピュータ内の内部記憶装置や、ハードディスク等のコンピュータに固定されている外部記憶装置も含んでいる。
【図面の簡単な説明】
【００８７】
【図１】本実施例の複製料金管理システムの構成を示すブロック図。
【図２】本複製料金管理システムにおいて使用される書籍Ｍ０を背表紙側から見た状態を示す斜視図。
【図３】本複製料金管理システムにおいて使用される書籍Ｍ０をページの側から見た状態を示す斜視図。
【図４】コピー機２１０で書籍Ｍ０の複写を行う際の、コピー機２１０と課金サーバ１００における処理を示すフローチャート。
【図５】第２実施例における料金の計算処理を示すフローチャート。
【符号の説明】
【００８８】
１００…課金サーバ
１０２…通信部
１０４…制御部
１０６…記憶部
２１０，２２０…コピー機
２１１，２２１…載置部
２１２，２２２…光学センサ
２１３，２２３…印刷部
２１４，２２４…書籍情報読取部
２１５，２２５…ユーザカード読取部
２１６，２２６…通信部
２１７，２２７…制御部
２１８，２２８…記憶部
２１９，２２９…操作部
３１０…ユーザ照合部
３２０…料金計算部
４１０…ユーザ情報取得部
４２０…書籍情報取得部
４３０…画像データ取得部
４４０…ページ番号取得部
４５０…印刷制御部
ＣＨＤ…複写履歴データ
ＤＢｃ…課金データベース
Ｍ０…書籍
Ｍ０１…前小口
Ｍ０２…綴じ部
Ｍ０３…天
Ｍ０４…地
Ｍ２…印刷用紙
Ｍｉ１…非接触式ＩＣタグ
Ｍｉ２…ページコード
ＮＴ…ネットワーク
【図１】
2010028616.tif 000003
【図２】
2010028616.tif 000004
【図３】
2010028616.tif 000005
【図４】
2010028616.tif 000006
【図５】
2010028616.tif 000007